(57)【要約】【課題】ある特定の画像形成装置において設定した内容及び、前回使用した状態を他の画像形成装置においても使用可能である。【解決手段】画像形成装置において行った設定がユーザごとにサーバに蓄積され、ユーザが前記サーバの管理するネットワーク上の画像形成装置を使用する際にユーザ認証されると、その画像形成装置に最適なユーザの設定情報が、画像形成装置内に設定される。【選択図】        図１
2006256118.tif 000002
【特許請求の範囲】
【請求項１】
ネットワーク回線を介して、サーバと接続された画像形成装置であって、前記画像形成装置は前記画像形成装置を使用するユーザを認識するユーザ認識手段と、前記ネットワークに接続されたユーザ情報を記憶する前記サーバに対して、前記ユーザ認識手段により認識したユーザ情報を送信するユーザ情報送信手段と、前記送信手段により送信したユーザ情報を受信した前記サーバが、前記ユーザ情報より特定した前記ユーザが以前に前記画像形成装置または、前記ネットワークに接続された他の画像形成装置において設定したユーザ設定情報を、前記サーバから受信するユーザ設定情報取得手段とを有し、前記画像形成装置は受信した前記ユーザ設定情報を基にして、前記画像形成装置を前記ユーザ認識手段によって認識されたユーザごとにパーソナライズするパーソナライズ手段を有することを特徴とした画像形成装置。
【請求項２】
前記ユーザが、前記パーソナライズ手段によりパーソナライズした前記画像形成装置の使用終了時に、前記画像形成装置のパーソナライズを終了する終了手段と、前記終了手段後、前記パーソナライズ情報を前記サーバに対して送信するユーザパーソナライズ情報送信手段を有する事を特徴とする請求項１記載の画像形成装置。
【請求項３】
前記パーソナライズ手段は、前記サーバと前記ネットワーク回線を介して相互に接続されている他の画像形成装置により送信された前記パーソナライズ情報を、複数の画像形成装置で共通に使用することが可能であることを特徴とした請求項１又は請求項２記載の画像形成装置。
【請求項４】
前記パーソナライズ手段は、前記受信手段により受信したユーザ情報データを、前記画像形成装置内部で使用可能な状態に設定する手段を含むことを特徴とする請求項１〜３いずれか記載の画像形成装置。
【請求項５】
前記パーソナライズ情報は、前記ユーザが前記画像形成装置の設定を変更する操作装置において、前記ユーザの意図する状態にカスタマイズ設定した印刷設定情報、前記ユーザ個人の情報、画像形成装置のオプション情報を含む事を特徴とした請求項１〜４いずれか記載の画像形成装置。
【請求項６】
前記パーソナライズ情報は、前記ユーザが前記画像形成装置内において、各種設定した操作記録をマクロとして登録した情報、並びに最後に操作装置に表示していた表示情報を含む事を特徴とする請求項１〜５いずれか記載の画像形成装置。
【請求項７】
前記ユーザ認識手段に使用する情報は、ユーザＩＤとパスワードであり、前記ユーザ情報送信手段においては、前記ユーザＩＤと前記パスワードを含む事を特徴とする請求項１〜６いずれか記載の画像形成装置。
【請求項８】
前記表示手段は、前回使用した機種の違いにより表示する機能が存在しない、または表示画面自体が存在しない時には、それら機能を非表示またはグレーアウトにする、または近い機能で近似的に表示することを特徴とする請求項１〜７いずれか記載の画像形成装置。
【発明の詳細な説明】
【技術分野】
【０００１】
本発明は、サーバとネットワーク回線を介して相互に接続されて構成される画像形成装置に関するものである。
【背景技術】
【０００２】
従来のプリンタ等の画像形成装置でプリント等の操作を行う際の各種設定は、あらかじめプリンタ等の操作部において各プリンタ等ごとに設定する必要がある。これらの設定は例えば印刷物に対する設定として、拡大縮小等を決定する倍率、両面で印刷するか片面で印刷するか、手差し指定を含む給紙カセットの選択や紙サイズの指定、製本印刷、印刷物を適切に分けるソート等がある。またネットワーク設定として、Ｅ−ｍａｉｌ等のネットワークサービスを使用して、コンピュータ等にスキャナ等を使用して読み込んだ画像を送信するために使用する送信先コンピュータのアドレスを登録しておくアドレス帳の設定等がある。さらに画像をプリンタ等の画像形成装置に蓄積するための設定として、ボックス設定等がある。ユーザはこれらの設定を的確に利用することで、印刷形態を指定し、自分が望む印刷物を取得していた。
【特許文献１】特開２００３−３４５５４０号公報
【発明の開示】
【発明が解決しようとする課題】
【０００３】
しかしながら、上記の従来の画像形成装置では以下のような問題があった。
【０００４】
ユーザが意図する印刷物を得るために各種設定した内容は、画像形成装置の使用直後にはユーザが設定した通りに存在するが、ひとたび他のユーザが使用すれば上記の設定は他のユーザのものに変わってしまい、また同じ設定で印刷をする時には初めから再設定をする必要があった。また他のユーザの設定した後に使用する場合には、全ての設定を確認しなくては、ユーザの意図した印刷結果を得られないことがあった。
【０００５】
また１人のユーザが複数のプリンタ等の画像形成装置を使用する場合には、複数のプリンタ等それぞれに対して同じ設定をする必要があった。この設定が異なることによりユーザの意図しない結果が得られる場合がある。これは数々の設定項目の中から単純に１つ指定するだけでプリントしているのではなく、数々の設定項目から複数の項目を選択し、設定を組み合わせることによりユーザは自分の好みの印刷を行っているからである。
【０００６】
また他のプリンタ等の画像形成装置において同じ印刷設定で行うためには、同様に初めから設定する必要があるが、このとき使用する画像形成装置が、前回使用した画像形成装置と違う機種の場合には、操作部の表示方法が異なるため容易に、自分の求める印刷設定にするのは困難であった。同様な問題で、装置をリプレイスする場合には各種設定をもう一度初めから新しい画像形成装置に対して設定を行う必要があった。
【０００７】
また、各種設定のほとんどは全ユーザにとって共通のものになってしまうため、ユーザごとに知られたくないアドレス帳等の設定項目については、設定しておくことが出来ず毎回入力し、設定した内容を使用し終わった後に消すといった手間があった。
【０００８】
そこで本発明では上記問題を解決するために、サーバとネットワーク回線を介して相互に接続される画像形成装置において、ユーザをサーバに登録し、登録されたユーザが使用した同一ネットワーク上に存在する画像形成装置の設定情報をサーバで一元管理し、この情報を元にして画像形成装置ではユーザの設定情報等を操作部に表示することにより、登録されたユーザは、一度設定した内容を毎回共通に同一ネットワーク上の画像形成装置間で使用することが可能となり、ユーザの操作性を向上させる。
【課題を解決するための手段】
【０００９】
上記の目的を解決するための本発明による画像形成装置は以下の構成を備える。
【００１０】
即ち、ネットワーク回線を介して、サーバと接続された画像形成装置であって、前記画像形成装置は前記画像形成装置を使用するユーザを認識するユーザ認識手段と、前記ネットワークに接続されたユーザ情報を記憶する前記サーバに対して、前記ユーザ認識手段により認識したユーザ情報を送信するユーザ情報送信手段と、前記送信手段により送信したユーザ情報を受信した前記サーバが、前記ユーザ情報より特定した前記ユーザが以前に前記画像形成装置または、前記ネットワークに接続された他の画像形成装置において設定したユーザ設定情報を、前記サーバから受信するユーザ設定情報取得手段とを有し、前記画像形成装置は受信した前記ユーザ設定情報を基にして、前記画像形成装置を前記ユーザ認識手段によって認識されたユーザごとにパーソナライズするパーソナライズ手段を備える。
【発明の効果】
【００１１】
本発明を使用することにより、ネットワーク回線を介して、サーバと接続された画像形成装置において、画像形成装置を使用するユーザをサーバに登録し、登録されたユーザが使用したネットワーク上に存在する画像形成装置のパーソナライズデータを、サーバが管理することが可能となる。サーバと同一ネットワーク上の画像形成装置において、このパーソナライズデータを共通に使用することにより、ユーザは毎回同じ設定を画像形成装置間で共通に使用することが可能となり、ユーザの操作性を著しく向上させることが可能となる。
【発明を実施するための最良の形態】
【００１２】
以下本発明を実施するための最良の形態を、実施例により詳しく説明する。
【実施例】
【００１３】
図１は、本発明の画像形成装置と其の周辺環境の構成を示すブロック図である。図１において、画像形成装置１００と、サーバ１０とはネットワーク１４を介して接続されていて、後述するパーソナライズ情報は、このネットワーク１４を介して送受信される。ネットワーク１４には、画像形成装置１００と、サーバ１０の他に、画像形成装置１１、画像形成装置１２も接続可能である。そして、これらの機器もネットワーク１４を介してサーバ１０とパーソナライズ情報を送受信することが可能な構成となっている。また、ネットワーク１４には、プリントジョブを生成し、そのプリントジョブを画像形成装置１００に送る外部装置として、情報処理装置１３も接続されている。
【００１４】
次に、画像形成装置１００の内部構成について説明する。情報処理装置１３から、ネットワーク１４を介して外部インターフェース１０５に送信されてきたプリントジョブは、ＣＰＵ１０１によって一旦、揮発性ＲＡＭ１０３内に保持される。尚、本実施例で用いられるプリントジョブは、ページ記述言語（Ｐａｇｅ  Ｄｅｓｃｒｉｐｔｉｏｎ  Ｌａｎｇｕａｇｅ：以下  ＰＤＬという）で記述されたＰＤＬデータで構成されるとする。揮発性ＲＡＭ１０３から読み出されたＰＤＬデータは、ラスタ画像データに展開され、再度揮発性ＲＡＭ１０３に書き込まれる。展開された画像データは、揮発性ＲＡＭ１０３から読み出され、印刷部１０７に送られ画像が形成される。
【００１５】
ＲＯＭ１０２は、電源をオフしても内容が揮発しない書き換え不可能なメモリであり、プログラムや固定的なデータを保持するために使われ、そのプログラムに基づきＣＰＵ１０１による処理が実行される。揮発性ＲＡＭ１０３は、電源をオフすると内容が揮発する性質の安価で書き換え可能なメモリであり、一時的なデータを保持するのに使用される。不揮発性ＲＡＭ１０４は、電源をオフしても内容が揮発しない、比較的高価な書き換え可能なメモリであり、比較的長期間記憶させておきたいデータを保持するために使用される。外部インターフェース１０５は、ネットワーク１４と接続されるネットワークインターフェースカード（以下ＮＩＣ）であり、ネットワーク１４の形態によりさまざまな種類がある。操作部１０６は、操作者が画像形成装置１００に関する設定を装置の前で行ったり、また、装置の状況を操作者に知らせるための表示をするためのものである。また、１０８は上記各構成要素を結ぶＣＰＵバスである。
【００１６】
印刷部１０７はカラープリント／白黒プリント、片面プリント／両面プリント、各紙サイズでのプリント、普通紙／ＯＨＰ用紙等の複数の機能を有している。
【００１７】
これらのプリントジョブの受信、ラスタ画像データヘの展開、画像形成を行うための様々な設定は、従来は、操作部１０６などを用いてあらかじめ画像形成装置１００に設定したものを使うか、あるいは情報処理装置１３から送られてきた各プリントジョブ中に指示されているものを使うか、さらには情報処理装置１３上で、インターネットエクスプローラ等のブラウザソフトを使用して、ネットワーク１４上から画像形成装置１００に設定したものを使っていた。本発明では、これらの手段に加えて、後述する画像形成装置１００がネットワーク接続されたサーバ１０から各種設定を引き出すという手段が追加されている。
【００１８】
操作部１０６などを用いた各種設定は、画像形成装置１００の電源が切れても消えないように、不揮発性ＲＡＭ１０４に保持される。一方、情報処理装置１３から送られてきた各プリントジョブ中に指示された各種設定や、サーバ１０から獲得した各種設定は、画像形成装置１００の電源が切れたら消えても構わないため、揮発性ＲＡＭ１０３に保持される。
【００１９】
次に本実施例において、ユーザがプリンタ等の画像形成装置１００を使用する際の流れについて、図２を使用して説明する。まずユーザがステップＳ２０１により印刷するために、画像形成装置１００の使用を開始する。次にステップＳ２０２に遷移すると、図３に示す表示画面２０が、図１の画像形成装置１００の操作部１０６上に表示される。この表示画面は、画像形成装置１００を使用するユーザに対して、この装置をパーソナライズするかしないかの問い合わせを行っている画面であり、画面上２１の“はい”ボタンを押下することにより、この画像形成装置１００はパーソナライズを行うためのモードであるステップＳ２０３へ遷移する。画面上２２の“いいえ”ボタンを押下することにより、画像形成装置１００はステップＳ２１２に遷移し、全てのユーザが共有で使用する通常のモードになる。ステップＳ２１２からの遷移状態は、次にステップＳ２１３に遷移し、ユーザが印刷等の処理を行い処理を終了した時点で、ステップＳ２１４に遷移しユーザの処理は終了することとなる。
【００２０】
ステップＳ２０２において、２１の“はい”ボタンを選択しステップＳ２０３に遷移すると、図４に示す表示画面３０が、図１の画像形成装置１００の操作部１０６上に表示される。この表示画面３０はパーソナライズを行うユーザ情報を画像形成装置１００が取得するために、ユーザを一意に識別することが可能な値であるユーザＩＤとパスワードの入力を促している画面である。このユーザＩＤとパスワードに関しては、指紋認証等の別方法を使用してユーザを一意に識別することも可能である。またユーザＩＤに関しては事前に登録されている値を、リストの形式で表示し、使用するユーザが選択する方法でもよい。
【００２１】
ステップＳ２０３で入力したユーザＩＤとパスワードを使用して、ステップＳ２０４に遷移する。ステップＳ２０４において、画像形成装置１００はサーバ１０に対して、入力されたユーザＩＤに関する情報が存在するかを問い合わせる。ユーザＩＤがサーバ１０上に存在した場合には、ステップＳ２０５に遷移し、ユーザ設定情報をサーバ１０より取得する。存在しない場合はステップＳ２０７に遷移し、ユーザの登録を行う処理を行う。
【００２２】
ステップＳ２０４において、サーバ１０に対してユーザＩＤとパスワードを問い合わせるための手段、及びステップＳ２０５においてサーバ１０からの返信データを受取る方法の例として、ネットワークパケットを作成し、サーバ１０とこれらのデータを送受信するための方法ついて、図５を使用して説明する。
【００２３】
図５（ａ）はステップＳ２０４に於けるネットワークパケット図である。ネットワークパケットはネットワークルーティングに必要なパケットヘッダ部と、実際のデータが含まれるパケットデータ部に大まかに分けることが出来る。図５（ａ）のパケットは、３０１がネットワークアドレスが含まれるヘッダ部分であり、３０２が実際のデータが含まれるデータ部である。３０１に宛先のサーバ１０のネットワークアドレスと、画像形成装置１００のネットワークアドレスが格納され、この情報を使用し、ネットワーク１４上に存在する目的の機器である、サーバ１０に対してパケットが到達することになる。
【００２４】
実際に送信するデータは３０２であるが、その内部には３０３〜３０６のようなデータを含んでいる。３０３、３０４は、ステップＳ２０３により入力したユーザＩＤとパスワードである。３０５、３０６は、後述するパーソナライズに必要なデータであるデバイス名と製品タイプである。デバイス名は、ユーザが変更可能なネットワーク上のデバイス固有の値、製品タイプはベンダーから指定されている製品名称値である。
【００２５】
サーバ１０は、このパケットを受けて３０３、３０４よりユーザ認証をし、ユーザが特定できた場合に３０５、３０６を参照して、画像形成装置１００に送信するべき送信データを決定する。送信するデータとを図５（ｂ）に示す。ネットワークパケットを使用するという点では、図５（ａ）と同様である。
【００２６】
図５（ｂ）はヘッダー部４０１とデータ部４０２から構成され、データ部４０２の中には４０３〜４１２のようなデータが存在する。４０３〜４０６までは、図５（ａ）の３０３〜３０６までと同様の値だが、４０７〜４１２までは、サーバ１０がユーザごとに蓄積していたデータであり、このデータは、ユーザが前回にネットワーク１４上のいずれかの画像形成装置を使用したときに、画像形成装置がサーバ１０に送信したものであり、このデータがユーザパーソナライズデータである。
【００２７】
本実施例では４０７としてユーザが個別に持つことが出来るユーザページ情報、４０８としてユーザが前回に表示していたページ情報である最終ページ、４０９としてユーザの登録した送信先のアドレス帳、４１０としてユーザの印刷履歴、４１１としてユーザが設定しているボックス情報、４１２としてサーバ１０から画像形成装置１００に対して、通知すべき情報を格納するための付加情報とした。このようなネットワークパケットが、画像形成装置１００に到達すると、画像形成装置１００はＳ２０５においてこのネットワークパケットを取得し、今後、この取得したデータを利用することにより、パーソナライズを行う。
【００２８】
取得したパケットのデータ部４０７〜４１２を使用して、Ｓ２０６によりユーザの設定状態を画像形成装置１００内に設定する。この設定された情報は、ユーザが前回、ネットワーク１４上のいずれかの画像形成装置を使用したときに、アドレス帳、履歴、ボックス、操作部１０６上に最後に表示していたページであり、これらが正確に再現される。
【００２９】
また、図６の５０１に示すユーザページを再現する。ユーザページとは、ユーザが画像形成装置の使用を容易にするために作成されたページである。ステップＳ２０６において、サーバ１０から取得した前回の設定データが、現在の画像形成装置１００において、機種等の違いにより使用できない項目が存在する場合がある。このような時には、使用できない項目に対してグレーアウトするか非表示とすることで、ユーザに対して使用できないことを通知する。また、このような項目に対しては、画像形成装置１００内において近い機能を探し、この機能に置換して表示してもよい。
【００３０】
ユーザページ５０１には二つの機能、ショートカット５０２と登録操作５０３がある。５０２、５０３それぞれは３つのボタンから構成されている。１つ目のボタンである名前ボタン５０４、５０５にはユーザが設定したショートカット名及び登録操作名が表示され、このボタンを押下することにより登録された機能を、使用することが出来る。２つ目のボタンである登録ボタン５０６、５０７を押下することにより、名前ボタン名とこの名前ボタン５０４、５０５を押下した時の動作を設定することが可能であり、３つ目のボタンである、削除ボタン５０８と５０９を押下することにより登録ボタン５０６、５０７において設定した全ての内容を消去することが可能である。
【００３１】
ショートカット５０２では、画像形成装置１００の操作部１０６に表示可能な数々のページの中から、ユーザが頻繁に使うページや、ページの階層が深く簡単には辿り着く事が出来ないページ等を名前ボタン５０４に登録しておき、この名前ボタン５０４を押下することで、上記のような登録ページを、一回の操作で表示することが可能である。操作登録５０３は、良く使用する印刷設定及び操作を、一度だけ名前ボタン５０５に登録しておき、再度同じ設定を使用する際には、この設定した名前ボタン５０５を押下するだけで、登録した各種設定を画像形成装置１００内に設定することが可能な機能である。この機能も登録ボタンを押すことにより設定することが可能である。
【００３２】
また、ユーザが前回同一ネットワーク１４上のいずれかの画像形成装置を使用した際に、その画像形成装置の使用を終了した時に操作部に表示していたページを、現在使用しようとしている画像形成装置１００の操作部１０６上に対して、表示する機能もある。
【００３３】
次に、サーバ１０上で画像形成装置のパーソナライズデータの管理方法、及びこれらのデータを画像形成装置に送信する方法について説明する。
【００３４】
画像形成装置のパーソナライズデータ管理方法について、本実施例では以下の４通りについて説明する。
１．各画像形成装置ごとに管理する。
２．機種ごとに管理する。
３．モノクロ機、カラー機ごとに情報を管理する。
４．全ての画像形成装置の情報を一元管理する。
【００３５】
以下１〜４について順に説明する。
【００３６】
１の各画像形成装置ごとに管理する、について説明する。画像形成装置１００からステップＳ２０４において受取ったデータ３０６製品タイプより、画像形成装置ごとのパーソナライズ情報を参照し、そのデータをそのまま送信する。もしもこの画像形成装置に関するデータが存在しない時には、サーバ１０上に設定されている各画像形成装置ごとのデフォルト値を送信する。
【００３７】
２の機種ごとに管理する、について説明する。画像形成装置１００からステップＳ２０４において受取ったデータ３０６製品タイプより、機種を判別しその機種のパーソナライズデータを参照し、画像形成装置１００より受取ったデータと、サーバ１０上のパーソナライズデータから、前回使用した画像形成装置の環境との差異を、４１２の付加情報に格納し送信する。前回使用した画像形成装置の環境との差異とは、各画像形成装置におけるオプションユニットの装着状況である。もしも、この機種に関するデータが存在しない時には、サーバ１０上に設定されている各機種ごとのデフォルト値を送信する。この付加情報４１２は、画像形成装置１００の操作部１０６上に表示され、ユーザに前回の環境との機能的な差を通知する。
【００３８】
３のモノクロ機とカラー機ごとに情報を管理する、について説明する。画像形成装置１００からステップＳ２０４において受取ったデータ３０６製品タイプより、モノクロ機とカラー機を判別しそのモノクロ機またはカラー機ごとにのパーソナライズデータを参照し、画像形成装置１００より受取ったデータと、サーバ１０上のデータから、前回使用した画像形成装置の環境との差異を、４１２の付加情報に格納し送信する。前回使用した画像形成装置の環境との差異とは、オプションユニットの装着状況、前回使用時の画像形成装置の機種情報である。もしもモノクロ機もしくはカラー機に関するパーソナライズデータが存在しない時には、サーバ１０上に設定されているモノクロ機、カラー機にごとのデフォルト値を送信する。この付加情報４１２は、画像形成装置１００の操作部１０６上に表示され、ユーザに前回の環境との機能的な差を通知する。
【００３９】
４の全ての画像形成装置の情報を一元管理する、について説明する。画像形成装置１００からステップＳ２０４において受取ったデータ３０６製品タイプより、サーバ１０上のパーソナライズデータを参照し、画像形成装置１００より受取ったデータから、前回使用した画像形成装置の環境との差異を４１２の付加情報に格納し送信する。前回使用した画像形成装置の環境との差異とは、オプションユニットの装着状況、前回使用時の画像形成装置の機種情報、モノクロ機とカラー機の違い情報である。もしもパーソナライズデータが存在しない時には、サーバ１０上に設定されているデフォルト値を送信する。この付加情報４１２は、画像形成装置１００の操作部１０６上に表示され、ユーザに前回の環境との機能的な差を通知する。
【００４０】
次にステップＳ２０９に遷移し、ユーザがパーソナライズされた画像形成装置１００を使用した印刷等の処理を行う。ユーザが処理が終了すると、ステップＳ２１０に遷移し、図７に示す画面６００を表示し、画像形成装置１００の使用を終了するかどうかを問い合わせる。ユーザは画像形成装置１００の使用を終了する場合、図７の６０１の“はい”ボタンを押下する。その後ステップＳ２１１に遷移する。６０２の“いいえ”ボタンを押下するとステップＳ２０９に遷移し、ユーザは画像形成装置１００の使用を継続する。画像形成装置１００の使用を終了すると、ステップＳ２１１において、ユーザが設定したパーソナライズデータをサーバ１０に送信する。
【００４１】
図８を使用して、サーバ１０にユーザの設定したパーソナライズデータを送信するためのネットワークパケット構造を説明する。８０１〜８１２までの項目に対して、画像形成装置内１００に設定されている情報を、送信データとして格納し、サーバ１０に送信する。８１２の付加情報に関しては、画像形成装置１００のオプション状況、機種情報、モノクロ機であるかカラー機あるか、等をセットする。サーバ１０は、受取った８０１〜８１２間でのデータを各ユーザごとに、上記パーソナライズデータ管理方法１〜４のいずれかの方法を使用して管理する。この処理が終了することにより、ステップＳ２１４に遷移し画像形成装置１００上の処理が終了する。
【００４２】
次に、サーバ１０にユーザが登録されていない時の処理について説明する。ステップＳ２０４において、ユーザ情報がサーバ１０上に存在しない時には、ステップＳ２０７に遷移しユーザを登録する処理を行う。もしユーザを登録する必要がなければ、ステップＳ２１２に遷移する。ユーザ登録を行うならば、ステップＳ２０８に遷移しユーザをサーバ１０に登録する。登録処理が終了した場合、ステップＳ２０９に遷移する。この時サーバから送信されるパーソナライズ情報はデフォルトのものであり、このデフォルト値はあらかじめサーバ１０上に設定してある。デフォルト値が設定された後、ユーザは自分の設定を作成するためのパーソナライズを行う。
【００４３】
パーソナライズデータの設定方法であるが、ユーザが画像形成装置１００上で操作部１０６を使用して設定する以外に、ネットワーク１４上の情報処理装置１３からサーバ１０に対し、パーソナライズデータ設定ソフトウェアを使用して設定してもよい。
【００４４】
以上の実施例の説明より、画像形成装置１００においてユーザが設定した情報をサーバ１０が管理し、１度設定した情報を同一ネットワーク１４上に存在する全ての画像形成装置において使用することが可能となる。
【図面の簡単な説明】
【００４５】
【図１】本発明の画像形成装置と、其の周辺環境の構成を示すブロック図である。
【図２】本発明の画像形成装置内で実行される処理を表すフローチャートである。
【図３】本発明の実施例において、プリンタの操作部に表示されるメッセージを説明するための図である。
【図４】本発明の実施例において、プリンタの操作部に表示されるメッセージを説明するための図である。
【図５】本発明の実施例において、パーソナライズ情報をサーバと画像形成層置換で送受信するデータを説明するための図である。
【図６】本発明の実施例において、プリンタの操作部に表示されるメッセージを説明するための図である。
【図７】本発明の実施例において、プリンタの操作部に表示されるメッセージを説明するための図である。
【図８】本発明の実施例において、パーソナライズ情報をサーバと画像形成層置換で送受信するデータを説明するための図である。
【符号の説明】
【００４６】
１０  サーバ
１１  画像形成装置
１２  画像形成装置
１３  情報処理装置
１４  ネットワーク
１００  画像形成装置
１０１  ＣＰＵ
１０２  ＲＯＭ
１０３  揮発性ＲＡＭ
１０４  不揮発性ＲＡＭ
１０５  外部インターフェース
１０６  操作部
１０７  印刷部
１０８  ＣＰＵバス
【図１】
2006256118.tif 000003
【図２】
2006256118.tif 000004
【図３】
2006256118.tif 000005
【図４】
2006256118.tif 000006
【図５】
2006256118.tif 000007
【図６】
2006256118.tif 000008
【図７】
2006256118.tif 000009
【図８】
2006256118.tif 000010